(57)【要約】【課題】  簡易な構成により振動等に対してもガタ付きや異音発生等がなく、引出しをキャビネット内に安定収納し得る引出し構造を提供する。【解決手段】  左右の側板及び上部板体等により前面開口部を有する如く形成されたキャビネットと、該キャビネットの前面開口部に少なくとも鏡板を有する引出しが引出し可能に配設される引出し構造であって、引出しの鏡板の上面で上部板体との対向位置に幅広部を設けたことを特徴とする。前記幅広部は、板厚が厚く設定された鏡板、鏡板とは別体で形成されて少なくとも鏡板上部に固着された板体、引出し内に配置され前後方向の幅が所定値に設定されたトレー前端部の少なくとも一つによって形成される。【選択図】  図２
2007105200.tif 000002
【特許請求の範囲】
【請求項１】
左右の側板及び上部板体等により前面開口部を有する如く形成されたキャビネットと、該キャビネットの前面開口部に少なくとも鏡板を有する引出しが引出し可能に配設される引出し構造であって、
前記引出しの鏡板の上面で前記上部板体との対向位置に幅広部を設けたことを特徴とする引出し構造。
【請求項２】
前記幅広部は、板厚が厚く設定された鏡板、鏡板とは別体で形成されて少なくとも鏡板上部に固着された板体、引出し内に配置され前後方向の幅が所定値に設定されたトレー前端部の少なくとも一つによって形成されることを特徴とする請求項１に記載の引出し構造。
【請求項３】
前記上部板体は、キャビネットの上面に配置される天板もしくは上部引出しの鏡板であることを特徴とする請求項１または２に記載の引出し構造。
【請求項４】
前記引出しは、その把手が前記幅広部と所定の距離を有して配置されることを特徴とする請求項１ないし３のいずれかに記載の引出し構造。
【発明の詳細な説明】
【技術分野】
【０００１】
本発明は、例えばキッチンキャビネット等に引出し可能に設けられて内部にキッチン用品等を収納可能な引出し構造に関する。
【背景技術】
【０００２】
従来、キッチンキャビネットに設けられる引出しは、例えば特許文献１に開示されている。この引出しは、図１０に示すように、左右の側板１０１ａ、天板１０１ｂ、背面板及び底板等により形成されたキャビネット１０１の前面開口部に、鏡板１０２ａ、把手１０２ｂ、左右の側板１０２ｃ、底板１０２ｄ及び背面板からなる引出し１０２が、その側板１０２ｃ上縁部分を係止片部１０３に係止させること等により引出し可能に配設されている。
【特許文献１】特開２００１−３５１３号公報
【発明の開示】
【発明が解決しようとする課題】
【０００３】
しかしながら、このような引出し構造にあっては、図１１に示すように、引出し１０２の鏡板１０２ａの板厚ｔ１が比較的薄く設定されて、引出し１０２をキャビネット１０１内に押し込んだ際に、鏡板１０２ａの上面が天板１０１ｂの前端下面に僅かな隙間を有して対向するように設定されているため、鏡板１０２ａと天板１０１ｂの対向面積が極めて小さくなって、例えばキャビネット１０１が振動した際等に、鏡板１０２ａと天板１０１ｂ間に異音が発生したり引出し１０２が前方に移動する虞がある。そこで、引出し１０２の振動による前方への移動等を規制できるような引出機構を設けることも考えられるが、この場合は、高価な引出機構が必要となって、複数の引出し１０２を有するキャビネット１０１等には適用し難いのが実情である。
【０００４】
本発明は、このような事情に鑑みてなされたもので、その目的は、簡易な構成により振動等に対してもガタ付きや異音発生等がなく、引出しをキャビネット内に安定収納し得る引出し構造を提供することにある。
【課題を解決するための手段】
【０００５】
かかる目的を達成すべく、本発明のうち請求項１に記載の発明は、左右の側板及び上部板体等により前面開口部を有する如く形成されたキャビネットと、該キャビネットの前面開口部に少なくとも鏡板を有する引出しが引出し可能に配設される引出し構造であって、前記引出しの鏡板の上面で上部板体との対向位置に幅広部を設けたことを特徴とする。
【０００６】
そして、前記幅広部は、請求項２に記載の発明のように、板厚が厚く設定された鏡板、鏡板とは別体で形成されて少なくとも鏡板上部に固着された板体、引出し内に配置され前後方向の幅が所定値に設定されたトレー前端部の少なくとも一つによって形成されることが好ましい。また、前記上部板体は、請求項３に記載の発明のように、キャビネットの上面に配置される天板もしくは上部引出しの鏡板であることが好ましい。さらに、前記引出しは、請求項４に記載の発明のように、その把手が前記幅広部と所定の距離を有して配置されることが好ましい。
【発明の効果】
【０００７】
本発明のうち請求項１に記載の発明によれば、引出しの鏡板の上部に幅広部が設けられているため、幅広部という簡易な構成により、鏡板とキャビネットの上部板体との対向面積を増大できて、キャビネットの振動等に対しても幅広部により引出しのガタ付きの発生や異音の発生等を抑制でき、引出しをキャビネット内に安定収納することができる。
【０００８】
また、請求項２に記載の発明によれば、請求項１に記載の発明の効果に加え、幅広部が、板厚が厚く設定された鏡板、鏡板とは別体で形成されて少なくとも鏡板上部に固着された板体、引出し内に配置され前後方向の幅が所定幅に設定されたトレー前端部の少なくとも一つによって形成されるため、キャビネットや引出しの形態に応じて最適な幅広部を採用することができる。
【０００９】
また、請求項３に記載の発明によれば、請求項１または２に記載の発明の効果に加え、上部板体がキャビネットの上面に配置される天板もしくは上部引出しの鏡板であるため、例えば天板としてのカウンター直下に位置する引出しでも上下方向に複数段配置された各引出しにも適用できて、各種引出しに簡単に対応することができる。
【００１０】
さらに、請求項４に記載の発明によれば、請求項１ないし３に記載の発明の効果に加え、引出しの把手が幅広部と所定の距離を有して配置されるため、引出しを引出す際の把手の位置を最適位置に設定できて、使い勝手に優れた引出し構造を得ることができる。
【発明を実施するための最良の形態】
【００１１】
以下、本発明の実施の形態を図面に基づいて詳細に説明する。
図１〜図３は、本発明に係わる引出し構造を適用したキッチン用キャビネットの第１実施形態を示し、図１がその斜視図、図２が引出しの鏡板の斜視図、図３がその断面図である。
【００１２】
図１に示すように、キッチンに使用されるキャビネット１は、左右の側板２ａと背面板２ｂ等からなるキャビネット本体２を有し、このキャビネット本体２の上面には人工大理石等からなる天板（上部板体）としてのカウンター３が配置されると共に、前面開口部には複数の引出し４、５が前方に引出し可能に配設されている。この引出し４、５のうち、カウンター３直下の引出し４は、鏡板４ａ、図示しない左右の側板や底板及び背面板等により形成され、鏡板４ａの前面所定位置には把手６が取り付けられている。
【００１３】
そして、この引出し４の鏡板４ａは、図２及び図３に示すように、従来の鏡板１０２ａの板厚ｔ１に比較して例えば２倍程度厚く形成されて、カウンター３との対向位置である上面が幅広部７で形成されている。この時、幅広部７の幅（すなわち板厚ｔ）は、鏡板４ａの前面に取り付けられる前記把手６を人差し指から小指で掴んだ（もしくは把手に各指を引っ掛けた）際に、親指が鏡板４ａの裏面側に入り込まない寸法、すなわち鏡板４ａの裏面側端部が把手６に対して所定の距離を確保できるように設定されている。
【００１４】
このように構成されたキャビネット１は、例えばカウンター３の上面で調理用の各種作業が行われ、この作業の際、引出し４、５内に収納された各種の調理器具が使用される。そして、このキャビネット１の場合、引出し４の鏡板４ａ自体の板厚ｔを厚くすることで鏡板４ａの上面に幅広部７が形成されていることから、引出し４のキャビネット本体２内への収納状態において、幅広部７によりカウンター３前端下面との対向面積を広くでき、例えば地震やキッチン床面の振動等によりキャビネット１自体が振動した場合等でも、引出し４が簡単に前方に飛び出したり、カウンター３と接触してガタガタする等の異音の発生が抑制され、引出し４のキャビネット本体２に対する安定した収納状態が得られることになる。
【００１５】
また、鏡板４ａの上面に幅広部７が形成されていることから、引出し４を引出した状態からキャビネット本体２内に押し込んで収納する際に、カウンター３上の調理器具としての箸等が転がって鏡板４ａの上面とカウンター３との間に挟み込まれること等を抑制することができて、引出し４をキャビネット本体２内にスムーズでかつ安全に収納できることになる。
【００１６】
このように、上記実施形態のキャビネット１の引出し４にあっては、その鏡板４ａの上部に幅広部７を設けているため、幅広部７という簡易な構成により、鏡板４ａとキャビネット本体２のカウンター３との対向面積を増大できて、キャビネット本体２の振動等に対しても幅広部７により引出し４のガタ付きや異音の発生等を抑制でき、引出し４をキャビネット本体２内に安定収納することができる。
【００１７】
また、幅広部７として鏡板４ａ自体の板厚ｔを厚くすることで対応しているため、幅広部７の構成を簡略化して、安価な引出し４が得られると共に、鏡板４ａ自体の剛性を高めることができて、強固な引出し４を得ることができる。さらに、引出し４の把手６が幅広部７の後端部と所定の距離を有して配置されているため、引出し４を引出す際の把手６の位置を最適位置に設定できて、例えば引出し４の収納時に、不注意による調理器具等の挟み込みを防止できる等、使い勝手と安全性に優れた引出し４を得ることができる。
【００１８】
図４〜図９は、本発明に係わる引出しの第２〜第４実施形態を示している。以下、上記第１実施形態と同一部位には、同一符号を付して説明する。先ず、図４及び図５に示す第２実施形態の引出し４の特徴は、その鏡板４ａの裏面に該鏡板４ａとは別体の板体８を一体的に固着することにより、鏡板４ａの上面に幅広部７を形成した点にある。この時、板体８は鏡板４ａの裏面に接着剤やネジ固定等により一体的に固着されている。この第２実施形態の引出し４においても、幅広部７により第１実施形態と同様の作用効果が得られる他に、既存の引出しに簡単に適用できると共に、例えば板体８として発泡プラスチック等を含む樹脂板や木材板等の適宜の板体を使用できて、引出し４の重量増加が抑えられる等の作用効果が得られる。
【００１９】
また、図６及び図７に示す第３実施形態の引出し４の特徴は、前記第２実施形態の板体８を鏡板４ａの裏面上部にのみ一体的に固着することにより、鏡板４ａの上面に幅広部７を形成した点にある。この時の板体８も、第２実施形態と同様に接着剤９（もしくはネジ等）により鏡板４ａに一体的に固着されており、第２実施形態と同様の作用効果の他に、引出し４自体の重量増加が一層抑えられる等の作用効果が得られる。
【００２０】
さらに、図８及び図９に示す第４実施形態の引出し４の特徴は、引出し４内に配置されたトレー１０の前端上部１０ａの幅ｗを広く形成することで幅Ｗ＝ｔ＋ｗの幅広部７を形成した点にある。この時、トレー１０が一般的に樹脂により形成されていることから、このトレー１０の成形時に前端上部１０ａの幅ｗを広く設定することで、幅広部７がトレー１０成形時に一体形成される。この第４実施形態の引出し４においても、幅広部７により第１実施形態と同様の作用効果が得られる他に、引出し４の鏡板４ａは従来のままで使用できて、例えば事務机等のトレー１０が内蔵される引出し４に簡単かつ好適に適用できるという作用効果が得られる。このように本発明に係わる、幅広部７の構成は、鏡板４ａの裏面側上部に形成される適宜の構成を採用することができる。
【００２１】
なお、上記各実施形態においては、天板としてのカウンター５の直下に引出し可能に配置される引出し４の鏡板４ａ上面に幅広部７を形成したが、本発明はこのような引出し４に限定されず、例えば図１に示す上下方向に複数段配置された下方の引出し５にも適用することができる。このような引出し５への適用の場合は、下方の引出し５の鏡板５ａの上面に幅弘部７を設けることで、上方の引出し４の鏡板４ａ（上部板体）の下面との間への物の挟み込み等を防止することができる。また、上記各実施形態におけるキッチンカウンター１自体の全体構成、その引出しの数や位置、把手の形状やその位置等も一例であって、本発明に係わる各発明の要旨を逸脱しない範囲において適宜に変更することができる。
【産業上の利用可能性】
【００２２】
本発明は、キッチン用キャビネットへの利用に限らず、キッチン用のストッカ、あるいはキッチン以外の机や収納庫等の引出しを有する全ての製品にも利用できる。
【図面の簡単な説明】
【００２３】
【図１】本発明に係わる引出し構造を適用したキッチン用キャビネットの第１実施形態を示す斜視図
【図２】同その引出しの鏡板の斜視図
【図３】同その断面図
【図４】同第２実施形態を示す図２と同様の斜視図
【図５】同その断面図
【図６】同第３実施形態を示す図２と同様の斜視図
【図７】同その断面図
【図８】同第４実施形態を示す図２と同様の斜視図
【図９】同その断面図
【図１０】従来の引出し構造を採用したキッチン用キャビネットの斜視図
【図１１】同その断面図
【符号の説明】
【００２４】
１・・・キャビネット、２・・・キャビネット本体、２ａ・・・側板、２ｂ・・・背面板、３・・・カウンター、４・・・引出し、４ａ・・・鏡板、５・・・引出し、５ａ・・・鏡板、６・・・把手、７・・・幅広部、８・・・板体、９・・・接着剤、１０・・・トレー、１０ａ・・・前端上部。
【図１】
2007105200.tif 000003
【図２】
2007105200.tif 000004
【図３】
2007105200.tif 000005
【図４】
2007105200.tif 000006
【図５】
2007105200.tif 000007
【図６】
2007105200.tif 000008
【図７】
2007105200.tif 000009
【図８】
2007105200.tif 000010
【図９】
2007105200.tif 000011
【図１０】
2007105200.tif 000012
【図１１】
2007105200.tif 000013